(57)【要約】【課題】本発明は、コンタクトガラス下面のゴミを非接触で清掃して、画像品質を向上させる画像読取装置に関する。【解決手段】画像読取装置１は、原稿のセットされるコンタクトガラス３の下方の本体筐体２内の読取光学機構８を搭載するキャリッジ９に、超音波発生部１１、１２が搭載されており、超音波発生部１１、１２が、キャリッジ９の副走査方向への移動に伴って、コンタクトガラス３に対して非接触の状態で超音波を放出して、コンタクトガラス３の下面のゴミを除去してコンタクトガラス３を清掃する。したがって、清掃部材の摩耗による劣化に対するメンテナンスの必要性や摩耗粉による新たなゴミの発生を抑制しつつ、コンタクトガラス３を清掃することができる。【選択図】          図１
2007110259.tif 000002
【特許請求の範囲】
【請求項１】
原稿のセットされるコンタクトガラスに対して当該原稿とは反対側の本体筐体内に配置されている光学機構で、当該原稿を相対的に主走査及び副走査して、当該原稿の画像を読み取る画像読取装置において、前記コンタクトガラスに対して非接触の状態で、当該コンタクトガラスの前記光学機構側の面のゴミを除去して当該コンタクトガラスを清掃する非接触清掃手段を備えていることを特徴とする画像読取装置。
【請求項２】
前記画像読取装置は、前記光学機構の少なくとも一部が、副走査方向に移動する走行体上に搭載され、当該走行体の副走査方向への移動に伴って、前記光学機構で前記原稿を主走査しつつ副走査して当該原稿の画像を読み取り、前記非接触清掃手段が、当該走行体上に搭載され、当該走行体の副走査方向の移動に伴って前記コンタクトガラスの前記光学機構側の全面を清掃することを特徴とする請求項１記載の画像読取装置。
【請求項３】
前記画像読取装置は、前記非接触清掃手段によって前記コンタクトガラスから除去されたゴミを吸引する吸引手段を備えていることを特徴とする請求項１または請求項２記載の画像読取装置。
【請求項４】
前記画像読取装置は、所定の清掃指示手段を備え、当該清掃指示手段で前記コンタクトガラスの清掃が指示操作されると、前記非接触清掃手段による前記コンタクトガラスの清掃を実施することを特徴とする請求項１から請求項３のいずれかに記載の画像読取装置。
【請求項５】
前記画像読取装置は、前記コンタクトガラスの清掃の要否を判別する清掃要否判別手段を備え、当該清掃要否判別手段が前記コンタクトガラスの清掃が必要であると判別すると、前記非接触清掃手段による前記コンタクトガラスの清掃を実施することを特徴とする請求項１から請求項４のいずれかに記載の画像読取装置。
【請求項６】
前記非接触清掃手段は、前記コンタクトガラスに超音波を放射して当該コンタクトガラスのゴミを除去する超音波清掃手段であることを特徴とする請求項１から請求項５のいずれかに記載の画像読取装置。
【発明の詳細な説明】
【技術分野】
【０００１】
本発明は、画像読取装置に関し、詳細には、コンタクトガラス下面のゴミを非接触で清掃して、画像品質を向上させる画像読取装置に関する。
【０００２】
に関する。
【背景技術】
【０００３】
近時、原稿の画像を高速にかつ高品位に読み取る画像読取装置が出現しており、この画像読取装置は、コンタクトガラス上に、原稿の画像面を押圧させるようにセットして、コンタクトガラスの下面に沿って副走査方向に往復移動する光学系が配置されて、コンタクトガラス上に手操作でセットされた原稿またはＡＤＦによりコンタクトガラス上に搬送されてきて載置されて停止している原稿を副走査方向に移動する光学系で主走査及び副走査して原稿の画像の読み取りを行っている。
【０００４】
このような画像読取装置においては、原稿の搬送に伴って、紙粉、塵、埃等のゴミが静電気等の影響によってコンタクトガラスに付着して、異常画像が発生するという問題がある。
【０００５】
すなわち、画像読取装置においては、ゴミがコンタクトガラスに付着していると、光源からの光が妨げられ、原稿の画像情報が光電変換素子に正確に伝わらないため、異常画像となり、読取画像の画像品質が低下する。
【０００６】
このようなゴミは、画像読取装置の構造上、コンタクトガラス外面（上面）に付着している場合には、取り除くのが容易であるが、コンタクトガラス内面（下面）に付着している場合には、除去するのに装置の分解が必要となり、ユーザに多大な負荷がかかるか、もしくは清掃サービス等の対応によるコストアップにつながる。
【０００７】
そこで、従来、装置本体内のコンタクトガラス下方に、コンタクトガラスの下面に接触させるとともに移動させて、当該コンタクトガラスの下面を清掃する技術が種々提案されている（特許文献１、特許文献２及び特許文献３参照）。
【０００８】
すなわち、これらの従来技術は、コンタクトガラスの下面に清掃部材を接触させつつ移動させてコンタクトガラスの下面を清掃することで、読取画像の画像品質の向上を図っている。
【０００９】
【特許文献１】特開平８−２７８７３４号公報
【特許文献２】特開平１０−２４３１７０号公報
【特許文献３】特開２０００−７８３５７号公報
【発明の開示】
【発明が解決しようとする課題】
【００１０】
しかしながら、上記従来技術にあっては、いずれも清掃部材をコンタクトガラスの下面に接触させつつ移動させることで、コンタクトガラスの下面を清掃しているため、清掃機構が大型化して、画像読取装置自体が大型化するおそれがあるとともに、清掃部材の磨耗による劣化に対するメンテナンスの必要性や、清掃部材の磨耗粉による新たなゴミがコンタクトガラスに付着するという問題があった。
【００１１】
そこで、本発明は、メンテナンスの頻度が少なく、新たなゴミの発生を抑制しつつコンタクトガラスの下面を清掃する利用性が良好でかつ清掃効率の良好な清掃手段を有する画像読取装置を提供することを目的としている。
【課題を解決するための手段】
【００１２】
請求項１記載の発明の画像読取装置は、原稿のセットされるコンタクトガラスに対して当該原稿とは反対側の本体筐体内に配置されている光学機構で、当該原稿を相対的に主走査及び副走査して、当該原稿の画像を読み取る画像読取装置において、前記コンタクトガラスに対して非接触の状態で、当該コンタクトガラスの前記光学機構側の面のゴミを除去して当該コンタクトガラスを清掃する非接触清掃手段を備えていることにより、上記目的を達成している。
【００１３】
この場合、例えば、請求項２に記載するように、前記画像読取装置は、前記光学機構の少なくとも一部が、副走査方向に移動する走行体上に搭載され、当該走行体の副走査方向への移動に伴って、前記光学機構で前記原稿を主走査しつつ副走査して当該原稿の画像を読み取り、前記非接触清掃手段が、当該走行体上に搭載され、当該走行体の副走査方向の移動に伴って前記コンタクトガラスの前記光学機構側の全面を清掃するものであってもよい。
【００１４】
また、例えば、請求項３に記載するように、前記画像読取装置は、前記非接触清掃手段によって前記コンタクトガラスから除去されたゴミを吸引する吸引手段を備えているものであってもよい。
【００１５】
さらに、例えば、請求項４に記載するように、前記画像読取装置は、所定の清掃指示手段を備え、当該清掃指示手段で前記コンタクトガラスの清掃が指示操作されると、前記非接触清掃手段による前記コンタクトガラスの清掃を実施するものであってもよい。
【００１６】
また、例えば、請求項５に記載するように、前記画像読取装置は、前記コンタクトガラスの清掃の要否を判別する清掃要否判別手段を備え、当該清掃要否判別手段が前記コンタクトガラスの清掃が必要であると判別すると、前記非接触清掃手段による前記コンタクトガラスの清掃を実施するものであってもよい。
【００１７】
さらに、例えば、請求項６に記載するように、前記非接触清掃手段は、前記コンタクトガラスに超音波を放射して当該コンタクトガラスのゴミを除去する超音波清掃手段であってもよい。
【発明の効果】
【００１８】
本発明の画像読取装置によれば、原稿のセットされるコンタクトガラスの原稿とは反対側に配設されている非接触清掃手段で、当該コンタクトガラスに対して非接触の状態で、当該コンタクトガラスの原稿とは反対側の面を清掃するので、清掃部材の摩耗による劣化に対するメンテナンスの必要性や清掃部材の摩耗粉による新たなゴミの発生を抑制することができ、利用性を向上させることができるとともに、清掃効率を向上させることができる。
【発明を実施するための最良の形態】
【００１９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２０】
図１〜図５は、本発明の画像読取装置の第１実施例を示す図であり、図１は、本発明の画像読取装置の第１実施例を適用した画像読取装置１の正面要部概略構成図である。
【００２１】
図１において、画像読取装置１は、本体筐体２の上面に、コンタクトガラス３が配設されており、コンタクトガラス３上には、読取対象の原稿がセットされる。
【００２２】
コンタクトガラス３の下方の本体筐体２の内部には、光源としてのランプ４、ミラー５、レンズ６及び光電変換素子７等の読取光学機構（光学機構）８を搭載したキャリッジ（走行体）９が、配設されており、キャリッジ９は、図１に矢印で示す副走査方向に配設されたガイドレール１０に沿って当該副走査方向に移動可能に配設されている。なお、キャリッジ９及びキャリッジ９の搭載する読取光学機構８の構成としては、上記構成のものに限るものではない。
【００２３】
キャリッジ９の上部には、図１及び図１のキャリッジ９部分の上部斜視図である図２に示すように、複数個（本実施例では、２個）の超音波発生部（非接触清掃手段、超音波清掃手段）１１、１２が配設されており、超音波発生部１１、１２は、それぞれ圧電セラミクス等を素材とする振動子１１ａ、１２ａと、振動子１１ａ、１２ａに接続されているホーン部１１ｂ、１２ｂを備えており、振動子１１ａ、１２ａに交流電圧が印加されることで、振動子１１ａ、１２ａがホーン部１１ｂ、１２ｂを高周波数で振動させて、超音波をコンタクトガラス３方向に放出する。この超音波発生部１１、１２は、そのホーン部１１ｂ、１２ｂからの超音波がコンタクトガラス３の上記副走査方向と直交する方向である主走査方向幅全体にわたって放出されるのに十分な数がキャリッジ９上に配設されている。
【００２４】
この画像読取装置１は、図３に示すようにブロック構成されており、主制御部２１、読取信号回路制御部２２、モータ制御部２３、光源制御部２４、清掃制御部２５、省電力制御部２６、通常待機モード移行要因検出部２７、清掃モード移行要因検出部２８及び省電力モード移行要因検出部２９等を備えている。この画像読取装置１は、所定の省電力モード移行要因が発生すると、画像読取装置１の所定部への電源の供給を停止／削減して消費電力を削減する省電力モードを備えており、また、この省電力モードにおいて、通常の待機モードへの復帰を促す通常待機モード移行要因が発生すると、省電力モードを解除して通常の待機モードに復帰する。
【００２５】
主制御部２１は、画像読取装置１の各部を制御して、画像読取装置１としての基本処理を実行するとともに、後述するコンタクトガラス３の清掃処理を実行する。
【００２６】
読取信号回路制御部２２は、主制御部２１の制御下で、上記読取光学機構８の光電変換素子７の変換動作を制御する読取信号回路の動作を制御し、モータ制御部２３は、主制御部の制御下で、キャリッジ９等の駆動部の駆動モータの動作を制御する。
【００２７】
光源制御部２４は、主制御部２１の制御下で、読取光学機構８の光源であるランプ４の点灯制御を行い、清掃制御部２５は、主制御部２１の制御下で、非接触清掃手段としての超音波発生部１１、１２の動作制御を行う。
【００２８】
省電力制御部２６には、通常待機モード移行要因検出部２７が接続されており、通常待機モード移行要因検出部２７は、画像読取装置１を通常の待機モードに移行させる要因、例えば、コンタクトガラス３上の原稿を当該コンタクトガラス３に押しつける開閉可能な圧板（図示略）の開閉動作、図示しない操作表示部のキー操作、省電力モードの解除を指示操作する省電力モード解除キーのキー操作等を検出して、検出結果を省電力制御部２６に出力する。
【００２９】
省電力制御部２６は、通常待機モード移行要因を監視して、通常待機モード移行要因が発生すると、主制御部２１及び必要な各部を立ち上げる省電力復帰制御処理を行う。
【００３０】
清掃モード移行要因検出部（清掃指示手段、清掃要否判別手段）２８は、超音波発生部１１、１２を駆動させてコンタクトガラス３下面のゴミの清掃の必要の有無を検出して、検出結果を主制御部２１に出力する。この清掃モード移行要因検出部２８は、例えば、予め設定された清掃時間間隔を計時するタイマ、操作表示部に設けられた清掃指示キー（清掃指示手段）の操作、コンタクトガラス３へのゴミの付着量の検出結果等を検出して、検出結果を主制御部２１に出力する。
【００３１】
省電力モード移行要因検出部２９は、所定の省電力モード移行要因、例えば、操作表示部のキー操作や圧板の開閉操作等の通常待機モード移行要因や読取操作等が発生することなく予め設定されている省電力移行時間が経過したことを検出して、検出結果を主制御部２１に出力する。
【００３２】
主制御部２１は、省電力モード移行要因検出部２９から省電力モード移行要因を検出した旨の検出結果が入力されると、画像読取装置１の主要各部への電源の供給を停止／削減して、省電力モードに移行するとともに、省電力モード時の動作を少電力制御部２６に渡し、省電力制御部２６は、省電力モードにおいて、復帰要求があると、省電力制御部２６が主制御部２１への電源の供給を再開して、通常動作モードに復帰して、各部の制御を行う。
【００３３】
次に、本実施例の作用を説明する。本実施例の画像読取装置１は、図４及び図５に示すように、必要な時期にコンタクトガラス３の下面を、当該コンタクトガラス３の下面に接触することなく清掃する。
【００３４】
すなわち、画像読取装置１は、図４に示すように、画像読取装置１の主電源がオンされると、主制御部２１が、キャリッジ９をホームポジションに移動させ（ステップＳ１０１）、黒レベルの基準レベルを調整する黒レベル調整処理を行い（ステップＳ１０２）、また、白基準板の読取時に１ラインのピークレベルが狙いのレベルになるように、光電変換素子７の出力をデジタル変換するＡＤコンバータのリファレンス電圧を調整する白レベル調整処理を行う（ステップＳ１０３）。
【００３５】
主制御部２１は、黒レベル調整と白レベル調整の各調整処理を完了すると、清掃制御部２５を介して、清掃機構部である超音波発生部１１、１２の電源をオンして（ステップＳ１０４）、モータ制御部２３を介してキャリッジ９を駆動するモータを駆動させてキャリッジ９を副走査方向に移動させ（ステップＳ１０５）、キャリッジ９が副走査方向のホームポジションと反対方向の端まで移動すると、清掃機構部である超音波発生部１１、１２の電源をオフにする（ステップＳ１０６）。すなわち、キャリッジ９を副走査方向に移動させつつ、キャリッジ９に搭載されている超音波発生部１１、１２から超音波をコンタクトガラス３の下面に向かって放出して、この超音波による超音波振動によってコンタクトガラス３の下面に付着している塵、埃等のゴミを除去して、コンタクトガラス３の下面を清掃する。
【００３６】
主制御部２１は、コンタクトガラス３の清掃を完了すると、キャリッジ９をホームポジションに戻して（ステップＳ１０７）、通常待機モードに移行して、読取動作等のために待機し（ステップＳ１０８）、図５に示すように、省電力モード移行要因の有無を省電力モード移行要因検出部２９の検出結果に基づいて判定する（ステップＳ１０９）。
【００３７】
ステップＳ１０９で、省電力モード移行要因を検知すると、主制御部２１は、省電力モードに移行して制御を省電力制御部２６に渡し（ステップＳ１１０）、省電力モードに移行すると、省電力制御部２６が、通常待機モード移行要因検出部２７が通常待機モード移行要因を検出したかチェックする（ステップＳ１１１）。
【００３８】
ステップＳ１１１で、省電力制御部２６は、通常待機モード移行要因検出部２７が通常待機モード移行要因を検出しないときには、ステップＳ１１０に戻って省電力モードを継続し（ステップＳ１１０）、ステップＳ１１１で、通常待機モード移行要因検出部２７が通常待機モード移行要因を検出すると、省電力モードから復帰して、図４のステップＳ１０２に戻って、黒レベル調整処理から上記同様に処理する（ステップＳ１０２〜Ｓ１１１）。
【００３９】
上記ステップＳ１０９で、省電力モード移行要因検出部２９が省電力モード移行要因を検出しないときには、主制御部２１は、清掃モード移行要因検出部２８が清掃モード移行要因を検出したかチェックし（ステップＳ１１２）、清掃モード移行要因が検出されると、コンタクトガラス３の下面を清掃する清掃モードに移行する（ステップＳ１１３）。
【００４０】
主制御部２１は、清掃モードに移行すると、清掃制御部２５を介して、清掃機構部である超音波発生部１１、１２の電源をオンして（ステップＳ１１４）、モータ制御部２３を介してキャリッジ９を駆動するモータを駆動させてキャリッジ９を副走査方向に移動させて、超音波発生部１１、１２によりコンタクトガラス３の下面を非接触で清掃し（ステップＳ１１５）、キャリッジ９が副走査方向のホームポジションと反対方向の端まで移動すると、清掃機構部である超音波発生部１１、１２の電源をオフにして（ステップＳ１１６）、キャリッジ９をホームポジションに戻して、清掃モードを終了する（ステップＳ１１７）。
【００４１】
主制御部２１は、清掃モードを終了すると、操作表示部の読取開始を指示するスタートキーのオン操作等が行われたかによって読取開始が指示されたかどうかをチェックし（ステップＳ１１８）、読取開始でないときには、図３のステップＳ１０８に戻って、通常待機モードに移行して、上記同様に処理する（ステップＳ１０８〜Ｓ１１８）。
【００４２】
ステップＳ１１２で、清掃モード移行要因を検出しないときには、主制御部２１は、読取開始かどうかをチェックし（ステップＳ１１８）、読取開始でないときには、図３のステップＳ１０８に戻って、通常待機モードに移行して、上記同様に処理する（ステップＳ１０８〜Ｓ１１８）。
【００４３】
ステップＳ１１８で、読取開始のときには、主制御部２１は、通常の読取動作を行い（ステップＳ１１９）、読取動作が終了すると、図３のステップＳ１０８に戻って、通常待機モードに移行して、上記同様に処理する（ステップＳ１０８〜Ｓ１１８）。
【００４４】
このように、本実施例の画像読取装置１は、原稿のセットされるコンタクトガラス３の原稿とは反対側の本体筐体２内に配設されている超音波発生部１１、１２によって、コンタクトガラス３に対して非接触の状態で、コンタクトガラス３の原稿とは反対側の面のゴミを除去してコンタクトガラス３を清掃している。
【００４５】
したがって、清掃部材の摩耗による劣化に対するメンテナンスの必要性や清掃部材の摩耗粉による新たなゴミの発生を抑制することができ、利用性を向上させることができるとともに、清掃効率を向上させることができる。
【００４６】
また、本実施例の画像読取装置１は、読取光学機構（光学機構）８が、副走査方向に移動するキャリッジ９上に搭載され、キャリッジ９の副走査方向への移動に伴って、読取光学機構８で原稿を主走査しつつ副走査して当該原稿の画像を読み取り、超音波発生部１１、１２が、キャリッジ９上に搭載され、キャリッジ９の副走査方向の移動に伴ってコンタクトガラス３の読取光学機構８側の全面を清掃している。
【００４７】
したがって、キャリッジ９の副走査方向への移動を利用して超音波発生部１１、１２でコンタクトガラス３を清掃することができ、利用性を向上させることができるとともに、より一層清掃効率を向上させることができる。
【００４８】
さらに、本実施例の画像読取装置１は、清掃モード移行要因検出部２８が操作表示部のキー操作でコンタクトガラス３の清掃が指示操作されたことを検出すると、コンタクトガラス３の清掃を実施している。
【００４９】
したがって、ユーザが読取画像を見た結果等からコンタクトガラス３の清掃が必要であると判断したときに、コンタクトガラス３の清掃を行うことができ、画像読取装置１の利用性を向上させつつ、読取画像の画像品質を向上させることができる。
【００５０】
また、本実施例の画像読取装置１は、コンタクトガラス３の清掃の要否を判別する清掃モード移行要因検出部２８が、清掃時間のタイムアップやコンタクトガラス３のゴミ検出結果等によってコンタクトガラス３の清掃が必要であると判別すると、超音波発生部１１、１２によるコンタクトガラス３の清掃を実施している。
【００５１】
したがって、コンタクトガラス３の清掃が必要なときにのみコンタクトガラス３の清掃を行うことができ、画像読取装置１の利用性をより一層向上させることができる。
【００５２】
さらに、本実施例の画像読取装置１は、コンタクトガラス３に超音波を放射する超音波発生部１１、１２を用いて、コンタクトガラス３のゴミを除去して清掃している。
【００５３】
したがって、小型の超音波発生部１１、１２で効率的にコンタクトガラス３を清掃することができる。
【実施例２】
【００５４】
図６は、本発明の画像読取装置の第２実施例を適用した画像読取装置３０の正面要部概略構成図である。
【００５５】
なお、本実施例は、上記第１実施例の画像読取装置１と同様の画像読取装置に適用したものであり、本実施例の説明においては、上記第１実施例の画像読取装置１と同様の構成部分については、同一の符号を付して、その詳細な説明を省略する。
【００５６】
本実施例の画像読取装置３０は、上記第１実施例の画像読取装置１と同様に、本体筐体２の上面に、コンタクトガラス３が配設されており、コンタクトガラス３上には、読取対象の原稿がセットされる。コンタクトガラス３の下方の本体筐体２の内部には、ランプ４、ミラー５、レンズ６及び光電変換素子７等の読取光学機構８を搭載したキャリッジ９が、配設されており、キャリッジ９は、図６に矢印で示す副走査方向に配設されたガイドレール１０に沿って当該副走査方向に移動可能に配設されている。
【００５７】
キャリッジ９の上部には、第１実施例の画像読取装置１と同様の複数個（本実施例では、２個）の超音波発生部１１、１２が配設されており、超音波発生部１１、１２は、それぞれ振動子１１ａ、１２ａと、振動子１１ａ、１２ａに接続されているホーン部１１ｂ、１２ｂを備えており、振動子１１ａ、１２ａに交流電圧が印加されることで、振動子１１ａ、１２ａがホーン部１１ｂ、１２ｂを高周波数で振動させて、超音波をコンタクトガラス３方向に放出する。この超音波発生部１１、１２は、そのホーン部１１ｂ、１２ｂからの超音波がコンタクトガラス３の上記副走査方向と直交する方向である主走査方向幅全体にわたって放出されるのに十分な数がキャリッジ９上に配設されている。
【００５８】
画像読取装置３０は、吸引機構部（吸引手段）３１を備えており、吸引機構部３１は、吸入口３２、吸引パイプ３３、ポンプ３４及びゴミ収集部３５等を備えている。吸引口３２は、キャリッジ９に取り付けられて、キャリッジ９の移動とともに移動することで、超音波発生部１１、１２からの超音波が照射されるコンタクトガラス３の超音波照射位置の近傍に位置し、吸引パイプ３３によってポンプ３４に接続されている。ポンプ３４及びゴミ収集部３５は、本体筐体２内であって、仕切り板３６によって本体筐体２内の他の部品等とは隔離された収納室３７内に収納されており、ポンプ３４は、上述のように、吸引パイプ３３によって吸引口３２に接続されているとともに、排出パイプ３３ａによってゴミ収集部３５に接続されている。吸引パイプ３３は、折れ曲がり等が発生することなくキャリッジ９の移動に追従する所定の柔軟性を有している。
【００５９】
そして、吸引機構部３１は、ポンプ３４として吸引ポンプが使用されており、ポンプ３４を駆動させることで、コンタクトガラス３の裏面から除去されたゴミを、吸引パイプ３３を通して吸引口３２から吸引して、排出パイプ３３ａを通してゴミ収集部３５内に収集する。
【００６０】
ゴミ収集部３５は、所定量のゴミを収納することができ、本体筐体２の図示しない開閉扉を開く等の方法で収納室３７内から取り出されて、収納しているゴミを廃棄可能となっている。
【００６１】
なお、上記説明では、吸引口３２がキャリッジ９に搭載されていてキャリッジ９の移動とともに移動するものとしているが、吸引口３２は、キャリッジ９に取り付けられているものに限るものではなく、吸引力が強い場合には、コンタクトガラス３の副走査方向中央位置あたりに固定的に配設されていてもよい。
【００６２】
本実施例の画像読取装置３０は、第１実施例の画像読取装置１と同様に、所定の清掃タイミング、例えば、画像読取装置３０の電源オン時、省電力モードからの復帰時、タイマによる予め設定された清掃時間間隔の計時、また、操作表示部の清掃指示キーの操作時等のタイミングに、清掃モードに移行して、主制御部２１が、清掃機構部である超音波発生部１１、１２及び吸引機構部３１のポンプ３４の電源をオンにし、キャリッジ９を駆動するモータを駆動させて、ホームポジションに位置するキャリッジ９を副走査方向に移動させる。次に、主制御部２１は、キャリッジ９が副走査方向のホームポジションと反対方向の端まで移動すると、清掃機構部である超音波発生部１１、１２及びポンプ３４の電源をオフにして、キャリッジ９をホームポジションに戻し、清掃モードを終了する。
【００６３】
そして、画像読取装置３０は、この清掃モードでは、キャリッジ９を副走査方向に移動させつつ、キャリッジ９に搭載されている超音波発生部１１、１２から超音波をコンタクトガラス３の下面に向かって放出して、この超音波による超音波振動によってコンタクトガラス３の下面に付着している塵、埃等のゴミを除去して、コンタクトガラス３の下面を清掃する。さらに、画像読取装置３０は、吸引機構部３１が配設されており、吸引機構部３１のポンプ３４に吸引パイプ３３を介して接続されている吸引口３２で、コンタクトガラス３の下面から除去されたゴミを吸引して、ゴミ収集部３５内に収納する。このゴミ収集部３５内に収納されたゴミは、本体筐体２の図示しない開閉扉を開く等の方法で収納室３７内から取り出されて、廃棄される。
【００６４】
したがって、コンタクトガラス３から除去されたゴミが本体筐体２内に浮遊して、再度、コンタクトガラス３の下面に付着することを防止することができ、コンタクトガラス３の清浄性をより一層向上させて、読取画像の画像品質をより一層向上させることができる。
【００６５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６６】
コンタクトガラス上の原稿の画像を光学的に読み取る画像読取装置一般に適用することができる。
【図面の簡単な説明】
【００６７】
【図１】本発明の画像読取装置の第１実施例を適用した画像読取装置の正面要部概略構成図。
【図２】図１のキャリッジ部分の斜視図。
【図３】図１の画像読取装置の要部回路ブロック図。
【図４】図１の画像読取装置によるコンタクトガラスの清掃処理を含む動作処理を示すフローチャート。
【図５】図４の動作処理の続きの処理を示すフローチャート。
【図６】本発明の画像読取装置の第２実施例を適用した画像読取装置の正面要部概略構成図。
【符号の説明】
【００６８】
１  画像読取装置
２  本体筐体
３  コンタクトガラス
４  ランプ
５  ミラー
６  レンズ
７  光電変換素子
８  読取光学機構
９  キャリッジ
１０  ガイドレール
１１、１２  音波発生部
１１ａ、１２ａ  振動子
１１ｂ、１２ｂ  ホーン部
２１  主制御部
２２  読取信号回路制御部
２３  モータ制御部
２４  光源制御部
２５  清掃制御部
２６  省電力制御部
２７  通常待機モード移行要因検出部
２８  清掃モード移行要因検出部
２９  省電力モード移行要因検出部
３０  画像読取装置
３１  吸引機構部
３２  吸入口
３３  吸引パイプ
３３ａ  排出パイプ
３４  ポンプ
３５  ゴミ収集部
３６  仕切り板
３７  収納室
【図１】
2007110259.tif 000003
【図２】
2007110259.tif 000004
【図３】
2007110259.tif 000005
【図４】
2007110259.tif 000006
【図５】
2007110259.tif 000007
【図６】
2007110259.tif 000008